(57)【要約】      （修正有）【課題】汚水に凝集剤を混合させる処理により、小型な設備で、短時間に効率よく浄化水を得ることが可能な汚水浄化方法及び汚水浄化装置の提供。【解決手段】汚水を供給するときに生じる吸引力により凝集剤を吸引して汚水と凝集剤を混合し、さらに給送しながら混合し、凝集剤の混合により浄化されて得られる浄化水中の凝集物を沈殿させるとともに、浄化水をオーバーフローさせて分離し、オーバーフローにより供給される浄化水に含まれる微細物を分離するとともに、沈殿により供給される凝集物に含まれる水分を分離して浄化水を得る汚水浄化方法。【選択図】図１
2017213511.tif 000002
【特許請求の範囲】
【請求項１】
汚水を供給するときに生じる吸引力により凝集剤を吸引して汚水と凝集剤を混合し、さらに給送しながら混合する混合工程と、
凝集剤の混合により浄化されて得られる浄化水中の凝集物を沈殿させるとともに、浄化水をオーバーフローさせて分離する分離工程と、
オーバーフローにより供給される浄化水に含まれる微細物を分離するとともに、沈殿により供給される凝集物に含まれる水分を分離して浄化水を得るフィルタ工程と、
を有することを特徴とする汚水浄化方法。
【請求項２】
前記混合工程では、
汚水を噴射して供給する吐出ノズルと、
凝集剤を供給する供給口を形成した吸引混合部と、
混合部材が配置された給送混合部と、
を有する混合筒を備え、
前記吐出ノズルにより汚水を噴射して前記吸引混合部に供給するときに生じる吸引力により前記供給口から凝集剤を吸引して混合し、
前記吸引して混合された汚水と凝集剤を、前記給送混合部の混合部材により混合させながら給送することを特徴とする請求項１に記載の汚水浄化方法。
【請求項３】
前記分離工程では、
凝集剤の混合により浄化されて得られる浄化水をオーバーフローにより排出する浄化水排出部と、
凝集剤の混合により浄化されて得られる凝集物を沈殿させて排出する凝集物排出部と、
を有する分離筒を備え、
前記分離筒に供給された凝集剤の混合により浄化されて得られる浄化水が、前記浄化水排出部からオーバーフローにより排出するとともに、
凝集剤の混合により浄化されて得られる凝集物を沈殿させて前記凝集物排出部から排出し、
凝集剤の混合により浄化されて得られる浄化水と凝集物とを分離することを特徴とする請求項１に記載の汚水浄化方法。
【請求項４】
前記フィルタ工程では、
メッシュを有するフィルタを備え、
前記フィルタの濾過によりオーバーフローにより供給される浄化水に含まれる微細物を分離するとともに、沈殿により供給される凝集物に含まれる水分を分離して浄化水を得ることを特徴とする請求項１に記載の汚水浄化方法。
【請求項５】
汚水を噴射して供給する吐出ノズルと、凝集剤を供給する供給口を形成した吸引混合部と、混合部材が配置された給送混合部と、を有する混合筒と、
凝集剤の混合により浄化されて得られる浄化水をオーバーフローにより排出する浄化水排出部と、凝集剤の混合により浄化されて得られる凝集物を沈殿させて排出する凝集物排出部と、を有する分離筒と、
濾過によりオーバーフローにより供給される浄化水に含まれる微細物を分離するとともに、沈殿により供給される凝集物に含まれる水分を分離して浄化水を得るフィルタと、
を備えることを特徴とする汚水浄化装置。
【発明の詳細な説明】
【技術分野】
【０００１】
この発明は、汚水に凝集剤を混合させる処理により、小型な設備で、短時間に効率よく浄化水を得ることが可能な汚水浄化方法及び汚水浄化装置に関する。
【背景技術】
【０００２】
従来、機械加工や食品加工などで生じる汚水の浄化方法として、例えば、汚水を曝気槽にて曝気処理して得られる処理水を沈殿槽に送液し、沈殿汚泥と沈殿処理水とに沈殿分離する工程で、沈殿槽底部に堆積する沈降汚泥と、中間部に浮遊する沈殿槽中間部汚泥をそれぞれ回収し、曝気槽に返送させるものがある（特許文献１）。
【０００３】
また、図４に示すように、凝集反応槽１００、沈殿分離槽１０１、濾過槽１０２を備え、汚水と凝集剤を凝集反応槽１００に供給し、この凝集反応槽１００で撹拌装置１０３により撹拌して凝集剤を混合する。そして、混合した汚水を、ポンプ１０４により沈殿分離槽１０１に供給し、この際に凝集剤を混合させ、沈殿分離槽１０１では、沈殿した凝集沈殿物を排出し、得られた処理水を濾過槽１０２に送り、ろ過により浄化水を得るものがある。
【先行技術文献】
【特許文献】
【０００４】
【特許文献１】特開平８−５２４８６号公報
【発明の概要】
【発明が解決しようとする課題】
【０００５】
このように、従来の汚水の浄化方法では、複数の処理層を備え、凝集剤を供給して撹拌装置により混合するものであり、処理時間がかかるとともに、設備が大型化するなどの問題がある。
【０００６】
この発明は、かかる実情に鑑みてなされたものであって、汚水に凝集剤を混合させる処理により、小型な設備で、短時間に効率よく浄化水を得ることが可能な汚水浄化方法及び汚水浄化装置を提供することを目的とする。
【課題を解決するための手段】
【０００７】
前記課題を解決し、かつ目的を達成するために、この発明は、以下のように構成した。
【０００８】
請求項１に記載の発明は、汚水を供給するときに生じる吸引力により凝集剤を吸引して汚水と凝集剤を混合し、さらに液送しながら混合する混合工程と、
凝集剤の混合により浄化されて得られる浄化水中の凝集物を沈殿させるとともに、浄化水をオーバーフローさせて分離する分離工程と、
オーバーフローにより供給される浄化水に含まれる微細物を分離するとともに、沈殿により供給される凝集物に含まれる水分を分離して浄化水を得るフィルタ工程と、
を有することを特徴とする汚水浄化方法である。
【０００９】
請求項２に記載の発明は、前記混合工程では、
汚水を噴射して供給する吐出ノズルと、
凝集剤を供給する供給口を形成した吸引混合部と、
混合部材が配置された液送混合部と、
を有する混合筒を備え、
前記吐出ノズルにより汚水を噴射して前記吸引混合部に供給するときに生じる吸引力により前記供給口から凝集剤を吸引して混合し、
前記吸引して混合された汚水と凝集剤を、前記給送混合部の混合部材により混合させながら液送することを特徴とする請求項１に記載の汚水浄化方法である。
【００１０】
請求項３に記載の発明は、前記分離工程では、
凝集剤の混合により浄化されて得られる浄化水をオーバーフローにより排出する浄化水排出部と、
凝集剤の混合により浄化されて得られる凝集物を沈殿させて排出する凝集物排出部と、
を有する分離筒を備え、
前記分離筒に供給された凝集剤の混合により浄化されて得られる浄化水が、前記浄化水排出部からオーバーフローにより排出するとともに、
凝集剤の混合により浄化されて得られる凝集物を沈殿させて前記凝集物排出部から排出し、
凝集剤の混合により浄化されて得られる浄化水と凝集物とを分離することを特徴とする請求項１に記載の汚水浄化方法である。
【００１１】
請求項４に記載の発明は、前記フィルタ工程では、
メッシュを有するフィルタを備え、
前記フィルタの濾過によりオーバーフローにより供給される浄化水に含まれる微細物を分離するとともに、沈殿により供給される凝集物に含まれる水分を分離して浄化水を得ることを特徴とする請求項１に記載の汚水浄化方法である。
【００１２】
請求項５に記載の発明は、汚水を噴射して供給する吐出ノズルと、凝集剤を供給する供給口を形成した吸引混合部と、混合部材が配置された給送混合部と、を有する混合筒と、
凝集剤の混合により浄化されて得られる浄化水をオーバーフローにより排出する浄化水排出部と、凝集剤の混合により浄化されて得られる凝集物を沈殿させて排出する凝集物排出部と、を有する分離筒と、
濾過によりオーバーフローにより供給される浄化水に含まれる微細物を分離するとともに、沈殿により供給される凝集物に含まれる水分を分離して浄化水を得るフィルタと、
を備えることを特徴とする汚水浄化装置である。
【発明の効果】
【００１３】
前記構成により、この発明は、以下のような効果を有する。
【００１４】
請求項１乃至請求項５に記載の発明では、汚水を供給するときに生じる吸引力により凝集剤を吸引して汚水と凝集剤を混合し、さらに液送しながら混合し、凝集剤の混合により浄化されて得られる浄化水中の凝集物を沈殿させるとともに、浄化水をオーバーフローさせて分離し、オーバーフローにより供給される浄化水に含まれる微細物を分離するとともに、沈殿により供給される凝集物に含まれる水分を分離して浄化水を得ることで、小型な設備で、短時間に効率よく浄化水を得ることが可能である。
【図面の簡単な説明】
【００１５】
【図１】汚水浄化方法を示す図である。
【図２】混合工程を示す図である。
【図３】分離工程及びフィルタ工程を示す図である。
【図４】従来の廃水処理系統図である。
【発明を実施するための形態】
【００１６】
以下、この発明の汚水浄化方法及び汚水浄化装置の実施の形態について説明する。この発明の実施の形態は、発明の最も好ましい形態を示すものであり、この発明はこれに限定されない。
【００１７】
この実施の形態の汚水浄化方法及び汚水浄化装置を、図１乃至図３に基づいて説明する。図１は汚水浄化方法を示す図、図２は混合工程を示す図、図３は分離工程及びフィルタ工程を示す図である。
【００１８】
この実施の形態の汚水浄化方法及び汚水浄化装置は、機械加工や食品加工などで生じる汚水を浄化処理するものであり、汚水を供給するときに生じる吸引力により凝集剤を吸引して汚水と凝集剤を混合し、さらに液送しながら混合する混合工程１０と、凝集剤の混合により浄化されて得られる浄化水中の凝集物を沈殿させるとともに、浄化水をオーバーフローさせて分離する分離工程２０と、オーバーフローにより供給される浄化水に含まれる微細物を分離するとともに、沈殿により供給される凝集物に含まれる水分を分離して浄化水を得るフィルタ工程３０と、を有する。
【００１９】
混合工程１０では、汚水を噴射して供給する吐出ノズル１１と、凝集剤を供給する供給口１２ａを形成した吸引混合部１２と、混合部材１３ａが配置された液送混合部１３と、を有する混合筒１４を備える。吐出ノズル１１には、供給パイプ４０が接続され、供給ポンプ４１の駆動により汚水が、供給パイプ４０を介して吐出ノズル１１へ供給され、吐出ノズル１１により汚水を噴射する。
【００２０】
吸引混合部１２の供給口１２ａには、凝集剤供給パイプ１５が接続され、凝集剤供給パイプ１５の上部に受けカップ１６が接続されている。この受けカップ１６に凝集剤が供給装置５０の駆動により供給される。供給装置５０は、タンク部５１を有し、このタンク部５１に紛体の凝集剤が貯留されている。タンク部５１の底部に搬送スクリー５２が配置され、この搬送スクリー５２を駆動モータ５３で回転させることで、タンク部５１に貯留されている凝集剤を搬送スクリー５２が搬送し、受けカップ１６に供給する。駆動モータ５３によって凝集剤の供給量を制御する。凝集剤は、例えばポリ塩化アルミニュウム及び高分子凝集剤等が用いられる。
【００２１】
液送混合部１３は、円筒状に形成され、この液送混合部１３に配置された混合部材１３ａは、楕円形状に形成された構成であり（図２（ｂ））、一対の混合部材１３ａを９０度交差させ、液送混合部１３の開口側から見て円形になるように配置される。この実施の形態では、一対の混合部材１３ａを３カ所に配置しており、１段目と３段目の一対の混合部材１３ａは図２の紙面に向かって視て９０度交差させた状態であるが、１段目と３段目の中間の２段目の一対の混合部材１３ａは図２の紙面に向かって視て円形状態であり（図２（ａ））、１段目の一対の混合部材１３ａが汚水と凝集剤を混合して落下させて２段目の一対の混合部材１３ａに液送し、この２段目の一対の混合部材１３ａによって９０度旋廻させて汚水と凝集剤を混合して落下させて３段目の一対の混合部材１３ａに液送し、この３段目の一対の混合部材１３ａによって９０度旋廻させて汚水と凝集剤を混合して落下させて次の工程に液送し、液送しながら混合する構成である。この一対の混合部材１３ａの配置箇所や個数は特に限定されず任意である。また、一対の混合部材１３ａは、９０度交差させ、かつ液送混合部１３の軸線に対して４５度傾斜させることで、吸引して混合された汚水と凝集剤を、液送混合部１３の混合部材１３ａにより効率よく旋廻させ、液送しながら混合し、凝集反応を促進することができる。
【００２２】
分離工程２０では、凝集剤の混合により浄化されて得られる浄化水をオーバーフローにより排出する浄化水排出部２１と、凝集剤の混合により浄化されて得られる凝集物を沈殿させて排出する凝集物排出部２２と、を有する分離筒２３を備える。分離筒２３は、円筒形状であり、上部２３ａが円錐状に絞られている。分離筒２３の中間部には、供給部２４が設けられ、凝集剤が混合された汚水が分離筒２３の内部に供給される。
【００２３】
浄化水排出部２１は、パイプで構成され、分離筒２３の内部に軸心位置に配置され、浄化水排出部２１は、上部２１ａが分離筒２３の上部２３ａに位置し、下部２１ｂが分離筒２３の底部２３ｂを貫通している。また、分離筒２３の内部には、邪魔板２５が配置されており、凝集剤の混合により浄化されて得られる凝集物が浮き上がることを邪魔板２５により規制して沈殿させるように構成されている。すなわち、分離工程２０では、汚水に凝集剤を混合することで凝集反応し、比重の大きい凝集物を形成することができ、この比重の大きい凝集物は邪魔板２５により分離筒２３の底部２３ｂに効率良く沈殿させることができる。
【００２４】
分離筒２３の内部に凝集剤が混合された汚水が供給され、凝集剤の混合により浄化されて得られる浄化水は、分離筒２３の上部２３ａで絞られて浄化水排出部２１の上部２１ａにオーバーフローして流れ込み、浄化水排出部２１の下部２１ｂから排出される。浄化水には、微細物が含まれており、この微細物は比重が小さく浄化水の表面に浮き上がり、浄化水がオーバーフローして流れ込むときに一緒に、浄化水排出部２１の上部２１ａに流れ込み、浄化水排出部２１の下部２１ｂから排出される。凝集剤の混合により浄化されて得られる凝集物は、沈殿して分離筒２３の底部２３ｂに溜り、凝集物排出部２２から排出される。
【００２５】
フィルタ工程３０では、メッシュ３１ａを有するフィルタ３１を備え、このフィルタ３１に、浄化水排出部２１から凝集剤の混合により浄化されて得られる浄化水が供給され、また凝集物排出部２２から凝集剤の混合により浄化されて得られる凝集物が供給される。フィルタ３１の濾過によって、浄化水に含まれる微細物が分離されて残り浄化水が落下し、また凝集物に含まれる水分が分離されて落下し、受け容器３２に溜るようにして浄化水を得ることができる。
【００２６】
このように、汚水を供給するときに生じる吸引力により凝集剤を吸引して汚水と凝集剤を混合し、さらに液送しながら混合し、凝集剤の混合により浄化されて得られる浄化水中の凝集物を沈殿させるとともに、浄化水をオーバーフローさせて分離し、オーバーフローにより供給される浄化水に含まれる微細物を分離するとともに、沈殿により供給される凝集物に含まれる水分を分離して浄化水を得ることで、小型な設備で、短時間に効率よく浄化水を得ることが可能である。
【産業上の利用可能性】
【００２７】
この発明は、汚水に凝集剤を混合させる処理により、小型な設備で、短時間に効率よく浄化水を得ることが可能な汚水浄化方法及び汚水浄化装置に適用可能であり、汚水に凝集剤を混合させる処理により、小型な設備で、短時間に効率よく浄化水を得ることが可能である。
【符号の説明】
【００２８】
１０  混合工程
１１  吐出ノズル
１２  吸引混合部
１２ａ供給口
１３  液送混合部
１３ａ  混合部材
１４  混合筒
１５  凝集剤供給パイプ
１６  受けカップ
２０  分離工程
２１  浄化水排出部
２２  凝集物排出部
２３  分離筒
３０  フィルタ工程
３１  フィルタ
３１ａ  メッシュ
３２  受け容器
【図１】
2017213511.tif 000003
【図２】
2017213511.tif 000004
【図３】
2017213511.tif 000005
【図４】
2017213511.tif 000006